(57)【要約】      （修正有）【課題】背負いバッグや乳幼児ホルダーを着用しているユーザーの胸腹部または背中に介在させて装着し、身体を持続的に冷却することができる身体冷却装置を実現する。【解決手段】身体冷却装置１０のファン２１を駆動させてマット１１内に空気を送り込み、マット１１内のスペーサ１５により形成される空気流通路に空気の流れを発生させて、ユーザーの身体の皮膚の近傍に絶えず外気を流通させることで、ユーザーの身体から出た汗を皮膚や着衣に留まらせず、効率よく蒸発させるようにし、その汗が蒸発する際にユーザーの身体から気化熱が奪われることを利用して、ユーザーの身体を持続的に冷却する。【選択図】図１
0003207262.tif 000002
【実用新案登録請求の範囲】
【請求項１】
乳幼児を抱いたり背負ったりするための乳幼児ホルダーを着用するユーザーの胸腹部または背中に装着され、前記ユーザーと前記乳幼児の間に空気を流通させて、前記ユーザーと前記乳幼児の身体を冷却する身体冷却装置であって、
空気が流通する空気流通路を確保するためのスペーサと、前記スペーサにおける前記乳幼児ホルダーおよび前記乳幼児側となる面を覆うように設けられた上布と、前記スペーサにおける前記ユーザー側となる面を覆うように設けられた下布とを有する扁平状のマットと、
前記マットの端部に形成された開口部と、
前記マットの前記上布に取り付けられ、前記上布と下布の間に空気を送り込む送風部と、
前記送風部に電力を供給する電源部と、
を備え、
前記送風部は、前記ユーザーが前記乳幼児ホルダーを着用したときに前記乳幼児ホルダーおよび前記乳幼児で覆われない部分に取り付けられており、
前記上布と前記下布は透湿性を有する材料で構成されていることを特徴とする身体冷却装置。
【請求項２】
前記上布の外面には、前記マットを前記乳幼児ホルダーに止着する止着部が設けられていることを特徴とする請求項１に記載の身体冷却装置。
【請求項３】
背負いバッグを背負うユーザーの背中に装着され、前記背負いバッグと前記ユーザーの間に空気を流通させて、前記ユーザーの身体を冷却する身体冷却装置であって、
空気が流通する空気流通路を確保するためのスペーサと、前記スペーサにおける前記背負いバッグ側となる面を覆うように設けられた上布と、前記スペーサにおける前記ユーザー側となる面を覆うように設けられた下布とを有する扁平状のマットと、
前記マットの端部に形成された開口部と、
前記マットの前記上布に取り付けられ、前記上布と下布の間に空気を送り込む送風部と、
前記送風部に電力を供給する電源部と、
を備え、
前記送風部は、前記ユーザーが前記背負いバッグを着用したときに前記背負いバッグで覆われない部分に取り付けられており、
前記下布は透湿性を有する材料で構成されていることを特徴とする身体冷却装置。
【請求項４】
前記上布の外面には、前記マットを前記背負いバッグに止着する止着部が設けられていることを特徴とする請求項３に記載の身体冷却装置。
【請求項５】
前記マットには、当該マットを前記ユーザーの首または肩から吊り下げるための長さ調整可能な吊下げ部が取り付けられていることを特徴とする請求項１〜４の何れか一項に記載の身体冷却装置。
【請求項６】
前記マットが、前記乳幼児ホルダーに固設されていることを特徴とする請求項１に記載の身体冷却装置。
【請求項７】
前記マットが、前記背負いバッグに固設されていることを特徴とする請求項３に記載の身体冷却装置。
【考案の詳細な説明】
【技術分野】
【０００１】
本考案は、抱っこ紐やおんぶ紐などの乳幼児ホルダーや背負いバッグの下に装着して、装着者の身体を冷却する身体冷却装置に関する。
【背景技術】
【０００２】
夏季に背負いバッグであるリュックサックを背負った場合、リュックサックと密着した背中からの放熱が妨げられるため、その着用者が不快感を覚えることがある。
また、夏季に抱っこ紐やおんぶ紐などの乳幼児ホルダーを使って乳幼児を抱きかかえたり背負ったりした場合にも、乳幼児ホルダーを着用した側の胸腹部あるいは背中からの放熱が妨げられるために、その着用者が不快感を覚えることがある。特に、乳幼児ホルダーの場合、着用者と乳幼児の両者が体温を放熱するために不快感が増し易く、また両者が不快な思いをしてしまう。
そして、リュックサックと乳幼児ホルダーのどちらの場合でも、その着用時間が長くなるほど不快感が増すという問題がある。
【０００３】
また、半導体工場等のクリーンルーム内で作業をする作業者が着用する無塵服はその構造上放熱し難くなっているため、着用者が不快感を覚えることがある。
この無塵服の着用者の暑さ対策のため、無塵服の下に装着する防暑具が開発されている（例えば、特許文献１参照。）。
【先行技術文献】
【特許文献】
【０００４】
【特許文献１】特開２００１−３５５１０７号公報
【考案の概要】
【考案が解決しようとする課題】
【０００５】
しかしながら、上記特許文献１の防暑具は、冷凍庫などで凍結させた保冷剤を利用して身体を冷却する仕組みであるので、保冷剤の冷却効果が無くなった際に速やかに交換できる環境でなければ、長時間の使用には向かないものであった。
つまり、上記特許文献１の防暑具をリュックサックや乳幼児ホルダー（抱っこ紐、おんぶ紐）などと併用して夏季の屋外で使用する場合、リュックサックや乳幼児ホルダーの着用者の身体を持続的に冷却するのは困難であった。
【０００６】
本考案の目的は、背負いバッグや乳幼児ホルダーを着用しているユーザーの身体を持続的に冷却することができる身体冷却装置を提供することである。
【課題を解決するための手段】
【０００７】
上記目的を達成するため、本出願に係る一の考案は、
乳幼児を抱いたり背負ったりするための乳幼児ホルダーを着用するユーザーの胸腹部または背中に装着され、前記ユーザーと前記乳幼児の間に空気を流通させて、前記ユーザーと前記乳幼児の身体を冷却する身体冷却装置であって、
空気が流通する空気流通路を確保するためのスペーサと、前記スペーサにおける前記乳幼児ホルダーおよび前記乳幼児側となる面を覆うように設けられた上布と、前記スペーサにおける前記ユーザー側となる面を覆うように設けられた下布とを有する扁平状のマットと、
前記マットの端部に形成された開口部と、
前記マットの前記上布に取り付けられ、前記上布と下布の間に空気を送り込む送風部と、
前記送風部に電力を供給する電源部と、
を備え、
前記送風部は、前記ユーザーが前記乳幼児ホルダーを着用したときに前記乳幼児ホルダーおよび前記乳幼児で覆われない部分に取り付けられており、
前記上布と前記下布は透湿性を有する材料で構成されていることを特徴とする。
【０００８】
かかる構成の身体冷却装置であれば、送風部を駆動させて上布と下布の間に空気を送り込み、身体冷却装置のマット内の空気流通路に空気の流れを発生させることによって、身体冷却装置を装着したユーザーの身体から出た汗が蒸発した気化成分と、乳幼児ホルダーに保持された乳幼児の身体から出た汗が蒸発した気化成分を、透湿性を有する下布及び上布を介してマット内部の空気流通路に取り込んで、開口部を通じて外部に排出することができる。
このように、汗が蒸発する際に身体から気化熱が奪われることを利用して、乳幼児ホルダーを着用したユーザーの身体と、乳幼児ホルダーに保持されている乳幼児の身体を冷却することができる。
【０００９】
また、望ましくは、
前記上布の外面には、前記マットを前記乳幼児ホルダーに止着する止着部が設けられているようにする。
こうすることで、身体冷却装置と乳幼児ホルダーとがずれ難くなるので、身体冷却装置と乳幼児ホルダーを一体的に装着することができる。
【００１０】
また、本出願に係る他の考案は、
背負いバッグを背負うユーザーの背中に装着され、前記背負いバッグと前記ユーザーの間に空気を流通させて、前記ユーザーの身体を冷却する身体冷却装置であって、
空気が流通する空気流通路を確保するためのスペーサと、前記スペーサにおける前記背負いバッグ側となる面を覆うように設けられた上布と、前記スペーサにおける前記ユーザー側となる面を覆うように設けられた下布とを有する扁平状のマットと、
前記マットの端部に形成された開口部と、
前記マットの前記上布に取り付けられ、前記上布と下布の間に空気を送り込む送風部と、
前記送風部に電力を供給する電源部と、
を備え、
前記送風部は、前記ユーザーが前記背負いバッグを着用したときに前記背負いバッグで覆われない部分に取り付けられており、
前記下布は透湿性を有する材料で構成されていることを特徴とする。
【００１１】
かかる構成の身体冷却装置であれば、送風部を駆動させて上布と下布の間に空気を送り込み、身体冷却装置のマット内の空気流通路に空気の流れを発生させることによって、身体冷却装置を装着したユーザーの身体から出た汗が蒸発した気化成分を、透湿性を有する下布を介してマット内部の空気流通路に取り込んで、開口部を通じて外部に排出することができる。
このように、汗が蒸発する際に身体から気化熱が奪われることを利用して、背負いバッグを着用したユーザーの身体を冷却することができる。
【００１２】
また、望ましくは、
前記上布の外面には、前記マットを前記背負いバッグに止着する止着部が設けられているようにする。
こうすることで、身体冷却装置と背負いバッグとがずれ難くなるので、身体冷却装置と背負いバッグを一体的に装着することができる。
【００１３】
また、身体冷却装置のマットには、当該マットをユーザーの首または肩から吊り下げるための長さ調整可能な吊下げ部が取り付けられているようにする。
この吊下げ部があれば、ユーザーは身体冷却装置を容易に装着することができる。
【００１４】
また、身体冷却装置のマットが乳幼児ホルダーに固設されていても、身体冷却装置のマットが背負いバッグに固設されていてもよい。
マットが乳幼児ホルダーや背負いバッグと一体にされていれば、ユーザーが乳幼児ホルダーや背負いバックを着用することで、身体冷却装置を装着することができる。
【考案の効果】
【００１５】
本考案によれば、背負いバッグや乳幼児ホルダーを着用しているユーザーの身体を持続的に冷却することができる。
【図面の簡単な説明】
【００１６】
【図１】本考案に係る身体冷却装置の一実施形態を示す概略正面図（ａ）と、その身体冷却装置のＡ−Ａ矢視方向概略断面図（ｂ）である。
【図２】身体冷却装置をユーザーの胸腹部に装着した状態を示す概略正面図である。
【図３】ユーザーが装着した身体冷却装置の上に、乳幼児を保持した乳幼児ホルダーを着用した状態を示す概略正面図である。
【図４】身体冷却装置をユーザーの背中に装着した状態を示す概略正面図である。
【図５】ユーザーが装着した身体冷却装置の上に、リュックサックを着用した状態を示す概略正面図である。
【考案を実施するための形態】
【００１７】
以下、図面を参照して、本考案に係る身体冷却装置の実施形態について詳細に説明する。
【００１８】
（実施形態１）
図１（ａ）は、身体冷却装置１０の概略正面図であり、図１（ｂ）は、その身体冷却装置１０のＡ−Ａ矢視方向概略断面図である。
実施形態１の身体冷却装置１０は、乳幼児を抱いたり背負ったりするための乳幼児ホルダー５０を着用するユーザーが、胸腹部または背中に装着して、ユーザーと乳幼児の間に空気を流通させて、ユーザーと乳幼児の身体を冷却するために使用するものである。
【００１９】
身体冷却装置１０は、図１（ａ）（ｂ）に示すように、扁平状のマット１１と、マット１１の内部に空気を送り込む送風部であるファン２１と、ファン２１に電力を供給する電源部２２と、マット１１を首から吊り下げる首掛け用の紐２３等を備えている。
また、マット１１は、空気が流通する空気流通路を確保するためのスペーサ１５と、そのスペーサ１５を覆う上布１６と下布１７とメッシュ状布１８とを有している。
【００２０】
スペーサ１５は、抱っこ紐やおんぶ紐などの乳幼児ホルダー５０と、乳幼児ホルダー５０を着用したユーザーの身体との間、具体的には、乳幼児ホルダー５０に保持されている乳幼児と、乳幼児ホルダー５０の着用者の身体との間に空気が流通する空気流通路を確保するためのものであり、略長方形状に形成されている。
このスペーサ１５は、身体冷却装置１０に使用されるものであるので、スペーサ１５にはその用途上、特別な性能を有することが要求される。
第一に、身体冷却装置１０を装着したユーザーに不快感を与えないように、柔軟性を有するスペーサ１５であること。
第二に、身体冷却装置１０の上に、乳幼児を保持している乳幼児ホルダー５０を着用したときにスペーサ１５が変形しないように、乳幼児および乳幼児ホルダー５０の重量に十分耐え得る強度を有するスペーサ１５であること。
第三に、消費電力の小さなファン２１を用いたときでも、そのファン２１により外気を十分に空気流通路内に流通させることができるように、空気抵抗の小さな構造を有するスペーサ１５であること。
第四に、身体冷却装置１０の上に乳幼児ホルダー５０を着用したとき、スペーサ１５の厚さがあまり厚いと身体冷却装置１０の装着感が悪くなるので、約１センチメートル程度の厚みを有するスペーサ１５であること。
これら４つの要求をすべて満たすスペーサとしては、本実用新案登録出願人が以前出願を行って特許を受けたスペーサ、すなわち特許第４０６７０３４号公報に開示されたスペーサを挙げることができる。本実施形態では、身体冷却装置１０に使用するスペーサ１５として上記の特許第４０６７０３４号公報に開示されたスペーサを用いることにする。そのため、ここではスペーサ１５の詳細についての説明を省略する。
【００２１】
そして、スペーサ１５は、その上下端部を除いて上布１６及び下布１７で覆われている。
上布１６は、ユーザーが装着した身体冷却装置１０の上に乳幼児ホルダー５０を着用した際、スペーサ１５における乳幼児ホルダー５０および乳幼児側となる面を覆うように設けられている。
下布１７は、ユーザーが装着した身体冷却装置１０の上に乳幼児ホルダー５０を着用した際、スペーサ１５におけるユーザー側となる面を覆うように設けられている。
上布１６及び下布１７は、空気が外部に漏れ難く且つ透湿性を有する材料で構成されており、例えば、目の詰んだ綿布などを用いることができる。
【００２２】
また、スペーサ１５の上下端部は、空気流通性のよいメッシュ状布１８で覆われている。
このメッシュ状布１８が設けられたマット１１の端部は、スペーサ１５が確保した空気流通路内を流れる空気を外部に排出するための開口部として機能する。
上布１６、下布１７及びメッシュ状布１８は各境界部分で縫合されており、スペーサ１５は、上布１６、下布１７及びメッシュ状布１８によって完全に覆われている。
なお、上布１６と下布１７は、メッシュ状布１８ほどではないが、その布目を通じて僅かに空気を通過させることができる通気性を有している。
【００２３】
また、マット１１における左右の縁の一方には、スペーサ１５から離間する方向に張り出した上布１６と下布１７とからなる張出部１１ａが設けられている。本実施形態では、ユーザーが身体冷却装置１０を腹側に装着した際、ユーザーの左側に張出部１１ａが位置するように設けられている。
この張出部１１ａの上布１６には円形状の孔が形成されており、この孔にファン２１が取り付けられている。
【００２４】
ファン２１は、スペーサ１５が確保した空気流通路内に空気の流れを強制的に生じさせるものである。本実施形態のファン２１は、外気を空気流通路内に取り込む方向に回転する。すなわち、ファン２１の送風方式としては吸気方式を採用している。このファン２１によって吸気された空気により張出部１１ａは陽圧になり膨らむので、張出部１１ａには空気流通路確保の意味でのスペーサ１５を必ずしも設ける必要はない。
そして、ファン２１によってスペーサ１５による空気流通通路内に取り込まれた空気は、その空気流通路内を流通し、開口部としてのメッシュ状布１８から外部に排出される。
特に、ファン２１の取り付け位置は、身体冷却装置１０を装着したユーザーが乳幼児ホルダー５０を着用したときに、乳幼児ホルダー５０および乳幼児で覆われない部分であるので、ファン２１による吸気が乳幼児ホルダー５０や乳幼児に妨げられることなく、外気をマット１１内の空気流通路に取り込むことができる。
【００２５】
電源部２２は、ファン２１に電力を供給するためのものである。電源部２２は、例えば二次電池と、二次電池を収納する電池ケースと、オンオフを切り替えるスイッチ等を備えており、電源部２２とファン２１はケーブルにより接続されている。
この電源部２２は、例えばユーザーの着衣のポケットに収納される。
【００２６】
また、マット１１の上部には、ユーザーの首からマット１１を吊り下げるように、身体冷却装置１０をユーザーに装着するための紐２３が取り付けられている。
吊下げ部として機能する紐２３には、ユーザーの首にかける部分の長さを調整するアジャスター２４が設けられており、ユーザーは自身の体格に合わせてマット１１（身体冷却装置１０）の装着位置を容易に調整することができる。
【００２７】
また、マット１１の下部の上布１６の外面には、マット１１を乳幼児ホルダー５０に止着する止着部として機能する面ファスナー２５が設けられている。
この面ファスナー２５は、乳幼児ホルダー５０の布地に係着する構造を有しており、面ファスナー２５が乳幼児ホルダー５０の布地に係着することで、マット１１を乳幼児ホルダー５０に止着することができる。
【００２８】
次に、実施形態１の身体冷却装置１０の使用方法について説明する。
図２は、身体冷却装置１０をユーザーの身体に装着したときの概略正面図であり、図３は、ユーザーが装着した身体冷却装置１０の上に、乳幼児を保持した乳幼児ホルダー５０を着用したときの概略正面図である。
【００２９】
まず、ユーザーは、紐２３を首にかけ、マット１１（身体冷却装置１０）を自身の腹側に吊り下げる。このときマット１１の向きは、下布１７が身体に接する側となる向き、すなわち、ファン２１が取り付けられている上布１６が外側となる向きとする。
次に、ユーザーは、アジャスター２４によって紐２３の長さを調整してマット１１の上下位置を調整し、図２に示すように、マット１１がユーザーの胸腹部に位置するように、身体冷却装置１０を装着する。
そして、ユーザーは、図３に示すように、装着した身体冷却装置１０の上に、乳幼児を保持した乳幼児ホルダー５０を着用する。このとき、面ファスナー２５が乳幼児ホルダー５０の布地に係着することで、マット１１と乳幼児ホルダー５０とがずれ難くなるので、身体冷却装置１０と乳幼児ホルダー５０を一体的に装着することができる。
なお、マット１１の張出部１１ａは、乳幼児ホルダー５０および乳幼児で覆われずに、露出している。
【００３０】
次いで、ユーザーは、電源部２２のスイッチをオンにする。この操作によりファン２１が駆動して、外気がファン２１を介してマット１１の内部の空気流通路に取り込まれる。  その取り込まれた空気はマット１１内の空気流通路を上向き及び下向きにそれぞれ流通し、上下端部のメッシュ状布１８に達すると、開口部としてのメッシュ状布１８から外部に排出されることになる。
【００３１】
このように、ファン２１を駆動させて上布１６と下布１７の間に空気を送り込み、身体冷却装置１０のマット１１内の空気流通路に空気の流れを発生させることによって、身体冷却装置１０を装着したユーザーの身体から出た汗が蒸発した気化成分と、抱っこ紐である乳幼児ホルダー５０に保持された乳幼児の身体から出た汗が蒸発した気化成分を、透湿性を有する下布１７及び上布１６を介してマット１１内部の空気流通路に取り込んで、メッシュ状布１８を通じて外部に排出することができる。
こうして、汗が蒸発する際に身体から気化熱が奪われることを利用して、ユーザー及び乳幼児の身体を冷却することができる。
【００３２】
特に、実施形態１の身体冷却装置１０では、ユーザーが装着した身体冷却装置１０の上に乳幼児ホルダー５０を着用したときに、乳幼児ホルダー５０および乳幼児で覆われない位置にファン２１が取り付けられているので、ファン２１による吸気が乳幼児ホルダー５０や乳幼児に妨げられることなく、外気をマット１１内の空気流通路に取り込むことができる。
そして、身体冷却装置１０は、マット１１内の空気流通路に良好な空気の流れを発生させ、身体から熱を奪って蒸発した汗をメッシュ状布１８から外部に排出するようにして、ユーザーと乳幼児の間の蒸れを低減するとともに、気化熱によるユーザーと乳幼児の身体の冷却を効率よく行うことができる。
なお、外気の温度が体表面の温度よりも低い場合には、その外気によって直接ユーザーや乳幼児の身体が冷却されるという効果もある。
【００３３】
なお、上記実施形態１では、マット１１がユーザーの胸腹部に位置するように身体冷却装置１０を装着し、抱っこ紐である乳幼児ホルダー５０を使って乳幼児を抱きかかえた場合を例に説明したが、マット１１がユーザーの背中に位置するように身体冷却装置１０を装着し、おんぶ紐である乳幼児ホルダー５０を使って乳幼児を背負う場合も同様に、身体冷却装置１０によってユーザー及び乳幼児の身体を冷却することができる。この場合、以下の実施形態２のように、吊下げ部として機能する紐２３を左右一対設け、その一対の紐２３を使ってマット１１をユーザーの肩に掛けるようにするのが好ましい。
【００３４】
（実施形態２）
次に、本考案に係る身体冷却装置の実施形態２について説明する。なお、実施形態１と同様の構成については、同符号を付して説明を割愛する。
【００３５】
実施形態２の身体冷却装置１０は、背負いバッグであるリュックサック６０を背負うユーザーが背中に装着して、リュックサック６０とユーザーの間に空気を流通させて、ユーザーの身体を冷却するために使用するものである。
【００３６】
この実施形態２では、身体冷却装置１０をユーザーの背中に装着するために、マット１１の上部に左右一対の紐２３が取り付けられている。
この身体冷却装置１０を使用する場合、図４に示すように、左右一対の紐２３をユーザーの肩にかけ、マット１１がユーザーの背中に位置するように、身体冷却装置１０を装着する。
そして、ユーザーは、図５に示すように、背中に装着した身体冷却装置１０の上に、リュックサック６０を着用する。このとき、面ファスナー２５がリュックサック６０の布地に係着することで、マット１１とリュックサック６０とがずれ難くなるので、身体冷却装置１０とリュックサック６０を一体的に装着することができる。
なお、マット１１の張出部１１ａは、リュックサック６０に覆われずに露出している。
【００３７】
こうして、リュックサック６０の下に装着した身体冷却装置１０を作動させることでも、汗が蒸発する際に身体から気化熱が奪われることを利用して、ユーザーの身体を冷却することができる。
また、リュックサック６０の下に装着する実施形態２の身体冷却装置１０の場合、リュックサック６０側を冷却する必要がないので、上布１６には透湿性がない材料を用いてもよい。
【００３８】
なお、実施形態２では、背負いバッグとしてリュックサック６０を例に説明したが、リュックサック６０とは、リュック、サック或いはザックと称される背負い袋の他、背負子や背負い籠なども含むものとする。
また、背負いバッグは、ランドセルなどの背負い鞄であってもよい。
【００３９】
以上のように、本実施形態の身体冷却装置１０は、ファン２１を駆動させてマット１１内の空気流通路に空気の流れを発生させることで、ユーザーの身体の皮膚の近傍に絶えず外気を流通させることができるので、ユーザーの身体から出た汗は皮膚や着衣に留まることなく、効率よく蒸発することになり、その汗が蒸発する際にユーザーの身体から気化熱が奪われることを利用してユーザーの身体を持続的に冷却することができる。
【００４０】
なお、本考案は上記の実施形態に限定されるものではなく、その要旨の範囲内において種々の変形が可能である。
【００４１】
例えば、以上の実施の形態において、スペーサ１５の上下端部は、開口部として機能するメッシュ状布１８で覆われているとしたが、本考案はこれに限定されるものではなく、例えばメッシュ状布１８を用いずに、スペーサ１５の上下端部で上布１６と下布１７を縫合し、上布１６と下布１７の境界近傍に開口部として機能する無数の小孔を形成してもよい。
また、以上の実施の形態では、開口部としてのメッシュ状布１８がマット１１の上下端部に設けられている場合について説明したが、開口部（メッシュ状布１８）の位置はこれに限らず、ファン２１からある程度離間した位置に必要に応じて設けるようにしてもよい。
【００４２】
また、以上の実施の形態では、ファン２１が外気をマット１１内の空気流通路に取り込む方向に回転する場合について説明したが、ファン２１が空気流通路内の空気を外部に排出する方向に回転するようにしてもよい。この場合、開口部としてのメッシュ状布１８は外気を空気流通路内に取り込む外気取込口となる。
【００４３】
また、以上の実施の形態では、マット１１の左右の一方の縁から張り出している張出部１１ａにファン２１が取り付けられている場合について説明したが、ファン２１が乳幼児ホルダー５０やリュックサック６０で覆われない位置であれば、どこの部分にファン２１を取り付けてもよい。また、複数箇所にファン２１を取り付けてもよい。
また、張出部１１ａの位置や張出部１１ａの有無に応じて、マット１１をどのような形状に形成してもよい。
【００４４】
また、以上の実施の形態では、電源部２２をユーザーの着衣のポケットに収納するとしたが、乳幼児ホルダー５０やリュックサック６０に電源部２２の収納部を設けてもよい。
【００４５】
また、以上の実施の形態では、紐２３をユーザーの首や肩に掛けるようにして、身体冷却装置１０をユーザーに装着する場合について説明したが、マット１１を乳幼児ホルダー５０やリュックサック６０の内面に固設して、乳幼児ホルダー５０やリュックサック６０に身体冷却装置１０を直接取り付けておき、ユーザーは身体冷却装置１０が取り付けられている乳幼児ホルダー５０やリュックサック６０を着用することにより、身体冷却装置１０を装着するようにしてもよい。
なお、乳幼児ホルダー５０やリュックサック６０に身体冷却装置１０を取り付ける手法は任意であり、接着や縫着など一般的な各種方法で取り付ければよい。例えば、以上の実施の形態で、面ファスナー２５を設けた箇所で乳幼児ホルダー５０やリュックサック６０とマット１１（身体冷却装置１０）を接着したり縫着したりすればよい。
【００４６】
また、その他、具体的な細部構造等についても適宜に変更可能であることは勿論である。
【符号の説明】
【００４７】
１０    身体冷却装置
１１    マット
１１ａ  張出部
１５    スペーサ
１６    上布
１７    下布
１８    メッシュ状布（開口部）
２１    ファン（送風部）
２２    電源部
２３    紐（吊下げ部）
２４    アジャスター
２５    面ファスナー（止着部）
５０    乳幼児ホルダー
６０    リュックサック（背負いバッグ）
【図１】
0003207262.tif 000003
【図２】
0003207262.tif 000004
【図３】
0003207262.tif 000005
【図４】
0003207262.tif 000006
【図５】
0003207262.tif 000007